(57)【要約】【課題】光ピックアップ装置の大型化や起動時間の長期化を招くことなく、球面収差の補正のために移動可能なレンズの原点位置を検出する。【解決手段】コリメータレンズ４を搭載して移動可能なホルダ９に、コリメータレンズ４の有効径の外側を周回し、コリメータレンズ４の焦点距離と異なる曲率半径を有する凹面を有し、光源２からの光を反射する反射部１１を配置している。制御部１３は、ステッピングモータ１０によりホルダ９を光軸方向に移動させながら、光検出器７で検出された反射部１１からの反射光の強度を検出し、この強度が所定の閾値以上となったときのコリメータレンズ４の光軸方向における位置をコリメータレンズ４の原点位置として検出する。【選択図】図１
2011034635.tif 000002
【特許請求の範囲】
【請求項１】
光源と、
前記光源から射出された光を光ディスクに入射させる対物レンズと、
前記光源と前記対物レンズとの間に設けられ、前記光源から射出された光の発散角を変化させるレンズと、
前記レンズを保持するホルダを光軸方向に移動させる駆動部と、
前記レンズの有効径の外側を周回して前記ホルダに設けられ、前記レンズの焦点距離と異なる曲率半径を有する凹面を有し、前記光源からの光を反射する反射部と、
前記光ディスクで反射された光および前記反射部で反射された光を検出する光検出器と、
前記駆動部により前記ホルダを光軸方向に移動させながら、前記光検出器で検出された前記反射部からの反射光の強度を検出し、この強度が所定の閾値以上となったときの前記レンズの光軸方向における位置を前記レンズの原点位置として検出する制御部と
を備えることを特徴とする光ピックアップ装置。
【請求項２】
前記レンズが記録再生時における移動範囲外にあるときに、前記反射部からの反射光が前記光検出器に合焦することを特徴とする請求項１に記載の光ピックアップ装置。
【発明の詳細な説明】
【技術分野】
【０００１】
本発明は、光ディスクに対して情報信号の記録、再生を行うために用いる光ピックアップ装置に関する。
【背景技術】
【０００２】
ＤＶＤ（Digital Versatile Disk）に比べて記録密度を高めた光ディスクとして規格化されたＢＤ（Blu-ray Disc）では、記録層に光を集光するために用いられる対物レンズのＮＡが０．８５と高い。このため、ＢＤのカバー層の厚さの誤差により発生する球面収差を補正する必要がある。
【０００３】
また、ＢＤでは、２つの記録層を有する２層ディスクが規格に含まれている。２層ディスクでは、各記録層のカバー層の厚さが異なるため、それぞれの厚さで発生する球面収差を補正する機構を光ピックアップ装置に搭載することが必要となっている。
【０００４】
球面収差を補正する方法としては、光源と対物レンズとの間の光路中にあるレンズ（例えばコリメータレンズ）を光軸方向に移動させることにより、対物レンズに入射する光束の発散角を変化させ、倍率が変わることにより対物レンズで発生する球面収差を利用して補正する方法が用いられている。レンズを移動させるためには、一般に、レンズを光軸方向に移動可能なホルダに取り付け、ステッピングモータ等からなる駆動機構でホルダを光軸方向に移動させることが行われている。
【０００５】
球面収差を補正するためには、レンズが光学系の中でどの位置にあるかを検出する必要がある。駆動源としてステッピングモータを使用した場合には、ステッピングモータを駆動したパルス数をカウントすることで、レンズがどれだけ移動したかを把握できるので、光路中の基準となる位置からモータを駆動したパルス数をカウントすることで、レンズの絶対位置を検出できる。したがって、レンズの絶対位置を検出するためには、まず、レンズを基準となる位置（原点位置）に移動させることが必要となる。
【０００６】
そこで、球面収差を補正する機構を有する光ピックアップ装置においては、球面収差補正のために光軸方向に移動可能なレンズの原点位置を検出するために種々の方法が用いられている。
【０００７】
例えば、特許文献１には、球面収差補正のために移動可能なレンズが原点位置に移動したことをフォトインタラプタで検出する方法が開示されている。
【０００８】
また、特許文献２には、半導体レーザの出力を制御するために用いる光検出器に、コリメータレンズの位置検出用の受光面を設け、コリメータレンズを保持して移動可能なホルダに固定される遮光体を、位置検出用の受光面に入射する光束を遮るような往復移動ができるように配置し、位置検出用の受光面からの出力レベルに基づいてコリメータレンズが原点位置に移動したことを検出する技術が開示されている。
【０００９】
また、特許文献３には、機械的な位置決め部にレンズホルダを当接させた位置を原点とする方法が開示されている。
【先行技術文献】
【特許文献】
【００１０】
【特許文献１】特開２００３−１３１１１３号公報
【特許文献２】特開２００６−１２７６９３号公報
【特許文献３】特開２００６−１５５８３９号公報
【発明の概要】
【発明が解決しようとする課題】
【００１１】
上記特許文献１の方法では、球面収差補正に用いるレンズの位置を検出するための専用の検出器としてフォトインタラプタを設ける必要があり、装置の部品点数が増加し、装置の大型化につながっていた。また、特許文献２の方法では、コリメータレンズの位置検出のための演算処理が新たに必要となるため、演算回路の大型化を招いていた。
【００１２】
また、特許文献３の方法では、確実に位置決めを行うためには、装置の起動時のレンズの位置によらず、レンズホルダを移動させるステッピングモータを少なくともレンズの可動範囲のフルストローク分以上は駆動させる必要がある。このため、起動時にレンズが原点に近い位置にある場合等では、ステッピングモータを余分に駆動することになり、装置の起動時間が長くなってしまうことがあった。
【００１３】
本発明は上記に鑑みてなされたもので、装置の大型化や起動時間の長期化を招くことなく、球面収差の補正のために移動可能なレンズの原点位置を検出することができる光ピックアップ装置を提供することを目的とする。
【課題を解決するための手段】
【００１４】
上記目的を達成するため、請求項１に係る光ピックアップ装置は、光源と、前記光源から射出された光を光ディスクに入射させる対物レンズと、前記光源と前記対物レンズとの間に設けられ、前記光源から射出された光の発散角を変化させるレンズと、前記レンズを保持するホルダを光軸方向に移動させる駆動部と、前記レンズの有効径の外側を周回して前記ホルダに設けられ、前記レンズの焦点距離と異なる曲率半径を有する凹面を有し、前記光源からの光を反射する反射部と、前記光ディスクで反射された光および前記反射部で反射された光を検出する光検出器と、前記駆動部により前記ホルダを光軸方向に移動させながら、前記光検出器で検出された前記反射部からの反射光の強度を検出し、この強度が所定の閾値以上となったときの前記レンズの光軸方向における位置を前記レンズの原点位置として検出する制御部とを備えることを特徴とする。
【００１５】
請求項２に係る光ピックアップ装置は、請求項１に記載の光ピックアップ装置において、前記レンズが記録再生時における移動範囲外にあるときに、前記反射部からの反射光が前記光検出器に合焦することを特徴とする。
【発明の効果】
【００１６】
本発明の光ピックアップ装置によれば、装置の大型化や起動時間の長期化を招くことなく、球面収差の補正のために移動可能なレンズの原点位置を検出することができる。
【図面の簡単な説明】
【００１７】
【図１】本発明の実施の形態に係る光ピックアップ装置の概略構成図である。
【図２】図１に示す光ピックアップ装置のホルダに設置される反射部を説明するための図である。
【図３】図１に示す光ピックアップ装置におけるＢＤからの反射光の光検出器上でのスポットの様子の一例を示す図である。
【図４】図１に示す光ピックアップ装置におけるコリメータレンズの位置と反射部による反射光の集光との関係を説明するための図である。
【図５】図１に示す光ピックアップ装置における反射部による反射光の光検出器上でのスポットの様子の一例を示す図である。
【図６】図１に示す光ピックアップ装置におけるコリメータレンズの位置と光検出器で受光する反射部からの反射光の強度との関係の一例を示す図である。
【図７】本発明の実施の形態の変形例に係る光ピックアップ装置の概略構成図である。
【図８】図７に示す光ピックアップ装置における反射部による反射光の光検出器上でのスポットの様子の一例を示す図である。
【図９】図７に示す光ピックアップ装置におけるコリメータレンズの位置と光検出器で受光する反射部からの反射光の強度との関係の一例を示す図である。
【発明を実施するための形態】
【００１８】
以下、本発明の実施の形態について、図面を参照して説明する。なお、各図面を通じて同一もしくは同等の部位や構成要素には、同一もしくは同等の符号を付し、その説明を省略もしくは簡略化する。
【００１９】
図１は、本発明の実施の形態に係る光ピックアップ装置の概略構成図である。本実施の形態に係る光ピックアップ装置１は、ＢＤの規格に対応した装置である。
【００２０】
図１に示すように、光ピックアップ装置１は、波長４０５ｎｍのレーザ光を射出する半導体レーザからなる光源２と、光源２からの光をＢＤ２０の記録層上に集光する対物レンズ３と、光源２と対物レンズ３との間に設けられ、光源２からの光の発散角を変化させるレンズであるコリメータレンズ４と、光源２とコリメータレンズ４との間に設けられ、ＢＤ２０で反射された光源２からの光の反射光の光路（復路）を光源２から射出された光の光路（往路）から分岐させるプリズム５と、プリズム５とコリメータレンズ４との間に設けられ、光源２からの光の偏光状態を直線偏光から円偏光に変換する４分の１波長板６と、プリズム５で分岐された反射光を検出する光検出器７と、プリズム５と光検出器７との間に設けられ、プリズム５で分岐された反射光に非点収差を付与して光検出器７に入射させるシリンドリカルレンズ８とを備える。
【００２１】
対物レンズ３は、フォーカス方向とＢＤ２０の半径方向への２軸並進の駆動機構を有するアクチュエータ（図示せず）に搭載され、ＢＤ２０の面振れや偏芯に追従してサーボがかけられることで、ＢＤ２０の記録層にスポットを形成する。
【００２２】
コリメータレンズ４は、光源２と対物レンズ３とにより形成される光軸方向に移動可能なホルダ９に固定され、光軸方向における位置を変えることで、ＢＤ２０のカバー層の厚さが変化したときに発生する球面収差を補正する。ホルダ９は、ホルダ９およびコリメータレンズ４を移動させる駆動部であるステッピングモータ９の回転軸１０ａに接続されている。
【００２３】
ＢＤの場合、２層ディスクを含めると、カバー層の厚さは０．０７０ｍｍから０．１０５ｍｍの範囲と定められている。記録、再生を行うＢＤ２０のカバー層の厚さに応じてコリメータレンズ４を適切な位置に置くことで、球面収差が最良になりＢＤ２０の記録層にスポットが集光される。
【００２４】
ホルダ９の光源２に対向する面側には、反射部１１が形成されている。図２（ａ）は、ホルダ９を光源２側から見た図であり、図２（ｂ）は、図２（ａ）におけるＡ−Ａ線に沿った断面図である。
【００２５】
光源２から射出される光はガウシアン分布の拡散光であり、コリメータレンズ４により中心部分の光がＢＤ２０に対する記録、再生動作のために利用される。図２（ａ），（ｂ）に示すように、反射部１１は、コリメータレンズ４の有効径の外側を周回するように形成され、反射面の形状は、光軸に対して回転対称な凹面の一部となっている。この凹面の曲率半径は、コリメータレンズ４の焦点距離とは異なるように設定され、例えば、コリメータレンズ４の焦点距離よりも約２ｍｍ長く設定される。光源２からの光の一部は反射部１１で反射され、反射された光は、プリズム５を介して光検出器７に向かう。
【００２６】
また、光ピックアップ装置１は、ステッピングモータ１０を駆動させるモータ制御部１２と、装置に設けられた各部を制御する制御部１３とを備える。
【００２７】
制御部１３は、光検出器７の検出出力を用いて、ＢＤ２０に記録された情報信号、対物レンズ３を搭載するアクチュエータを制御するためのフォーカスエラー信号やトラッキングエラー信号等を検出する。また、制御部１３は、装置の起動時において、光軸方向に移動する反射部１１による反射光を受光した光検出器７の検出出力を用いてコリメータレンズ４の原点位置を検出する。
【００２８】
次に、光ピックアップ装置１の作用について説明する。
【００２９】
光源２が発光すると、光源２から射出された直線偏光の光は、Ｐ偏光成分がプリズム５を通過し、４分の１波長板６により円偏光に変換され、コリメータレンズ４で略平行の光に変換された後、対物レンズ３によりＢＤ２０の記録層上に集光される。
【００３０】
ＢＤ２０で反射された円偏光の光は、対物レンズ３、コリメータレンズ４を通過し、４分の１波長板６によりＳ偏光に変換された後、プリズム５で反射され、シリンドリカルレンズ８により非点収差が付与され、光検出器７で受光される。
【００３１】
光検出器７は、受光部が２行２列に４分割された構造を有している。制御部１３は、光検出器７の各分割受光部からの検出出力を演算することで、ＢＤ２０に記録された情報信号、フォーカスエラー信号、トラッキングエラー信号を検出する。
【００３２】
本実施の形態では、フォーカスエラー信号の検出に非点収差法を用いている。図３は、ＢＤ２０からの反射光の光検出器７上でのスポットの様子の一例を示す図である。光検出器７に入射する光は、シリンドリカルレンズ８により非点収差が付与されており、対物レンズ３とＢＤ２０との間のフォーカス方向における距離の変化に応じて、光検出器７上のスポットの形状が変化する。
【００３３】
ＢＤ２０の記録層にフォーカスが合っているときには、図３（ｂ）に示すように、光検出器７上でほぼ円形のスポットになる。デフォーカスが発生すると、図３（ａ），（ｃ）に示すように、このスポットの形状が楕円に変化する。４つの分割受光部の検出出力を演算することで、フォーカスエラー信号が検出される。
【００３４】
また、ＢＤ２０に記録された情報信号は、４つの分割受光部の検出出力の総和により検出することができる。
【００３５】
前述のように、光ピックアップ装置１においては、ＢＤ２０のカバー層の厚さの誤差により対物レンズ３において球面収差が発生する。
【００３６】
対物レンズ３は、ＢＤ２０のカバー層が規格の中心の厚さのときに平行光が入射すると球面収差が最良になるように設計されている。カバー層が厚いＢＤ２０を再生する場合は、コリメータレンズ４の位置を光源２に近づけて対物レンズ３に入射する光の平行度を拡散側になるように変化させる。また、カバー層が薄いＢＤ２０を再生する場合は、コリメータレンズ４を光源２から遠い側に移動させて対物レンズ３に入射する光の平行度を収束側に変化させることで球面収差が最良になる。
【００３７】
球面収差が最良になるコリメータレンズ４の位置は、ＢＤ２０のカバー層の厚さのばらつきや周囲温度、温度変化による波長変動などにより異なる。最良位置にコリメータレンズ４を移動させる方法は、ＢＤ２０を再生したときのジッターや情報信号の振幅、フォーカスをかけた状態でのトラッキングエラー信号の振幅などを用いて調整される。しかし、コリメータレンズ４の位置が最良位置から大きく離れていると、球面収差の影響でフォーカスエラー信号を正しく検出することが困難になり、ＢＤ２０に対して情報信号の記録、再生を行うことができない。
【００３８】
そこで、光ピックアップ装置１で記録、再生動作を行う場合、その動作開始前の装置起動時に、予め設計した位置にコリメータレンズ４を移動させる必要がある。ＢＤの場合、単層ディスクのカバー層の厚さは０．１００ｍｍが中心であり、２層ディスクの場合も一方の層のカバー層の厚さは０．１００ｍｍが中心であるので、設計位置として、０．１００ｍｍのカバー層に対応する位置にコリメータレンズ４を移動させるのが望ましい。
【００３９】
ステッピングモータ１０は、駆動パルスに対して一定の回転角を保持することができるので、駆動したパルス数をカウントすることで、ホルダ９に搭載されたコリメータレンズ４の相対移動距離を把握することができる。コリメータレンズ４を絶対位置に移動するためには、装置起動時に移動の基準となる原点位置にコリメータレンズ４を移動し、そこからのステッピングモータ１０の駆動パルス数をカウントすればよい。
【００４０】
そこで、本実施の形態では、光ピックアップ装置１の起動時に、まず、コリメータレンズ４を光軸方向に移動させながら反射部１１の反射光を光検出器７で検出し、その検出出力に基づいて、コリメータレンズ４が原点位置に移動したことを検出する。その後、コリメータレンズ４を原点位置から設計位置に移動させる。
【００４１】
光ピックアップ装置１が起動されると、制御部１３は、光源２を発光させるとともに、ステッピングモータ１０を駆動してホルダ９（コリメータレンズ４）を移動させるようにモータ制御部１２を制御する。
【００４２】
光源２から射出された光の一部は反射部１１で反射される。この反射部１１による反射光は、４分の１波長板６を通過し、プリズム５で反射され、シリンドリカルレンズ８を介して光検出器７で受光される。なお、この動作中は、対物レンズ３のフォーカスをＢＤ２０に合わせておらず、ＢＤ２０からの反射光はほとんどない。
【００４３】
図３を参照して、コリメータレンズ４の位置と反射部１１による反射光の集光との関係を説明する。光源２からコリメータレンズ４の距離がコリメータレンズ４の焦点距離に等しいとき、図４（ａ）に示すように、反射部１１による反射光は光検出器７よりも遠い位置に焦点を結ぶ。図４（ａ）の状態よりもコリメータレンズ４が光源２に近いと、図４（ｂ）に示すように、反射部１１による反射光はさらに遠い位置で焦点を結ぶ。したがって、光検出器７上には、反射部１１による反射光が入射しない。図４（ａ）の状態よりもコリメータレンズ４が光源２から遠い場合において、図４（ｃ）に示すように、反射部１１による反射光は光検出器７上に焦点を結ぶようになる。
【００４４】
図５は、反射部１１による反射光の光検出器７上でのスポットの様子の一例を示す図である。図４（ｃ）のように反射部１１による反射光が光検出器７上に焦点を結んでいる状態では、図５（ｄ）に示すようなスポットが光検出器７上に形成される。コリメータレンズ４が、反射部１１による反射光が光検出器７上に焦点を結ぶ位置から光源２側にあるときは、図５（ａ）〜（ｃ）のようにスポットの形状が変化し、ＢＤ２０側にあるときは、図５（ｅ）〜（ｇ）のようにスポットの形状が変化する。
【００４５】
制御部１３は、光検出器７の４つの分割受光部の検出出力の総和により、光検出器７で受光した反射部１１からの反射光の強度を検出する。この演算処理は、前述した、ＢＤ２０に記録された情報信号を検出するときの演算処理と同様である。
【００４６】
光検出器７で受光する反射部１１からの反射光の強度の変化の一例を図６に示す。図６において、横軸はコリメータレンズ４の位置を示し、プラス方向が、コリメータレンズ４が光源２から遠ざかる方向を示す。縦軸は光検出器７で受光した光の強度を示す。図６は、反射部１１の凹面の曲率半径がコリメータレンズ４の焦点距離よりも長く設定されている場合のデータであり、コリメータレンズ４が光源２からプラス方向に一定の位置に移動すると反射光の強度が増加する。
【００４７】
前述のように、反射部１１の凹面の曲率半径は、コリメータレンズ４の焦点距離とは異なり、図６に示すように、記録再生時における球面収差補正ための移動範囲外にあるときに、反射部１１からの反射光が光検出器７に合焦するように設計されている。
【００４８】
なお、反射部１１の凹面の曲率半径がコリメータレンズ４の焦点距離よりも短い値に設定されている場合は、球面収差補正ための移動範囲に対してマイナス側において、反射部１１からの反射光が光検出器７に合焦する。
【００４９】
光ピックアップ装置１の起動時には、コリメータレンズ４は、前回の記録、再生動作終了時の位置にあるため、球面収差補正ための移動範囲内にある。したがって、反射部１１の凹面の曲率半径がコリメータレンズ４の焦点距離よりも長く設定されている場合では、起動時にコリメータレンズ４の原点位置を検出するための動作においては、コリメータレンズ４を光源２から遠ざかる方向に移動させる。
【００５０】
制御部１３は、図６に示すように、光検出器７で受光した光の強度が、予め設定された閾値以上となる位置を、コリメータレンズ４の原点位置として検出する。原点位置を検出すると、制御部１３は、モータ制御部１２にステッピングモータ１０の駆動を停止させる。
【００５１】
そして、制御部１３は、ステッピングモータ１０を駆動するパルス数のカウント値を０とする。その後、制御部１３は、モータ制御部１２にステッピングモータ１０を駆動させる。制御部１３は、ステッピングモータ１０を駆動させるパルス数をカウントすることで、コリメータレンズ４の絶対位置を制御することができる。ステッピングモータ１０を駆動させたパルス数が、コリメータレンズ４を原点位置からＢＤ２０に応じた設計位置に移動させるために必要な距離に応じて予め設定されたパルス数に達すると、制御部１３は、モータ制御部１２にステッピングモータ１０の駆動を停止させる。
【００５２】
これにより、コリメータレンズ４がＢＤ２０に応じた設計位置に移動される。この状態から、ＢＤ２０に対する記録、再生動作が開始される。記録、再生動作時においては、コリメータレンズ４は、ＢＤ２０に応じた設計位置を含む球面収差補正ための移動範囲内にあるが、このときは反射部１１からの反射光が光検出器７に合焦しないように反射部１１の曲率半径が設定されている。このため、反射部１１からの反射光は、情報信号、フォーカスエラー信号、トラッキングエラー信号等の検出の妨げにはならない。
【００５３】
上記説明のように本実施の形態では、ホルダ９に設けた反射部１１からの反射光の強度に基づいてコリメータレンズ４の原点位置を検出するので、コリメータレンズ４の位置を検出するための専用の検出器が必要ない。また、反射部１１からの反射光の強度を検出する演算処理は、情報信号の検出に用いる演算処理と同様であるため、専用の演算回路も必要ない。このため、装置の大型化を招くことなく、コリメータレンズ４の原点位置を検出することができる。また、コリメータレンズ４が原点位置に到達した時点でステッピングモータ１０の駆動を停止することができるので、起動時間の長期化を回避できる。
【００５４】
なお、コリメータレンズ４の原点位置から設計位置までの距離については、光ピックアップ装置１の組立てのばらつきや部品のばらつきに起因して個体差が発生することがある。そこで、コリメータレンズ４の原点位置から設計位置までの距離が一定になるように、原点位置を検出するための反射光の強度の閾値を装置個別に設定するようにしてもよい。また、原点位置を検出するための反射光の強度の閾値は一定の値とし、原点位置から設計位置までの距離に応じたステッピングモータ１０を駆動するパルス数を装置個別に設定してもよい。
【００５５】
（変形例）
図７は、本発明の実施の形態の変形例に係る光ピックアップ装置の概略構成図である。図７に示すように、本変形例に係る光ピックアップ装置１Ａは、図１に示した光ピックアップ装置１に対し、プリズム５と光検出器７とシリンドリカルレンズ８とを、複合素子１４と光検出器１５とに置き換えた構成である。
【００５６】
複合素子１４は、ＢＤ２０で反射された光源２からの光の反射光の光路（復路）を光源２から射出された光の光路（往路）から分岐させるプリズム１６と、プリズム１６で分岐された反射光を２つの回折光に分割する回折素子１７とを有する。
【００５７】
光検出器１５は、回折素子１７で分割された２つの回折光がそれぞれ入射する受光部１５Ａ，１５Ｂを有する。光検出器１５は、光源２と一体のパッケージに組み込まれている。
【００５８】
受光部１５Ａ，１５Ｂは、３行２列に６分割された構造を有している。制御部１３は、受光部１５Ａ，１５Ｂの各分割受光部からの検出出力を演算することで、スポットサイズ法によるフォーカスエラー信号、プッシュプル法によるトラッキングエラー信号を検出する。
【００５９】
また、制御部１３は、受光部１５Ａの３つの分割受光部の検出出力、および受光部１５Ｂの３つの分割受光部の検出出力の総和により、ＢＤ２０に記録された情報信号を検出する。
【００６０】
光ピックアップ装置１Ａでコリメータレンズ４の原点位置を検出する動作について説明する。
【００６１】
光ピックアップ装置１Ａが起動されると、制御部１３は、光源２を発光させるとともに、ステッピングモータ１０を駆動してホルダ９（コリメータレンズ４）を移動させるようにモータ制御部１２を制御する。
【００６２】
光源２から射出された光の一部は反射部１１で反射される。この反射部１１による反射光は、４分の１波長板６を通過し、プリズム１６で反射され、回折素子１７で２つの回折光に分割されて光検出器１５で受光される。
【００６３】
図８は、反射部１１による反射光の光検出器１５の受光部１５Ａ（１５Ｂ）上のスポットの様子の一例を示す図である。反射部１１による反射光が光検出器１５の受光部１５Ａ（１５Ｂ）上に焦点を結んでいる状態では、図８（ｄ）に示すようなスポットが受光部１５Ａ（１５Ｂ）上に形成される。コリメータレンズ４が、反射部１１による反射光が光検出器１５の受光部１５Ａ（１５Ｂ）上に焦点を結ぶ位置から光源２側にあるときは、図８（ａ）〜（ｃ）のようにスポットの形状が変化し、ＢＤ２０側にあるときは、図８（ｅ）〜（ｇ）のようにスポットの形状が変化する。
【００６４】
制御部１３は、受光部１５Ａの６つの分割受光部の検出出力の総和、または受光部１５Ｂの６つの分割受光部の検出出力の総和により、反射部１１からの反射光の強度を検出する。これは、前述した、ＢＤ２０に記録された情報信号を検出するときとほぼ同様の演算処理により検出できる。
【００６５】
コリメータレンズ４の位置と光検出器１５の受光部１５Ａ（または受光部１５Ｂ）で受光する反射部１１からの反射光の強度との関係の一例を図９に示す。制御部１３は、図９に示すように、受光部１５Ａ（または受光部１５Ｂ）で受光した光の強度が、予め設定された閾値以上となる位置を、コリメータレンズ４の原点位置として検出する。その後、上述した図１の光ピックアップ装置１と同様に、コリメータレンズ４がＢＤ２０に応じた設計位置に移動され、ＢＤ２０に対する記録、再生動作が開始される。
【００６６】
本変形例の光ピックアップ装置１Ａによれば、図１に示した光ピックアップ装置１と同様の効果が得られるとともに、構成を簡素化できる。
【符号の説明】
【００６７】
１，１Ａ  光ピックアップ装置
２  光源
３  対物レンズ
４  コリメータレンズ
５，１６  プリズム
６  ４分の１波長板
７，１５  光検出器
８  シリンドリカルレンズ
９  ホルダ
１０  ステッピングモータ
１１  反射部
１２  モータ制御部
１３  制御部
１４  複合素子
１５Ａ，１５Ｂ  受光部
１７  回折素子
２０  ＢＤ
【図１】
2011034635.tif 000003
【図２】
2011034635.tif 000004
【図３】
2011034635.tif 000005
【図４】
2011034635.tif 000006
【図５】
2011034635.tif 000007
【図６】
2011034635.tif 000008
【図７】
2011034635.tif 000009
【図８】
2011034635.tif 000010
【図９】
2011034635.tif 000011